【手続補正書】
【提出日】平成16年3月23日(2004.3.23)
【手続補正１】
【補正対象書類名】明細書
【補正対象項目名】特許請求の範囲
【補正方法】変更
【補正の内容】
【特許請求の範囲】
【請求項１】
無線送信元又はディスプレイ装置のいずれか一方から、複合ビデオ信号及び補助データを複数の場所で受信する手持式デバイスであって、
マイクロプロセッサと、
前記マイクロプロセッサと電子的に結合して、複合ビデオ信号及び補助データを処理する回路と、
前記マイクロプロセッサと電子的に結合して、前記ディスプレイ装置から補助データの送信があった場合にはそれを受信する無線周波受信機と、
前記マイクロプロセッサと電子的に結合して、前記無線送信元から複合ビデオ信号の送信があった場合にはそれを前記ディスプレイ装置から受信する光検出器とを備える
ことを特徴とする手持式デバイス。
【請求項２】
前記手持式デバイスに携行される補助データ保存用のメモリを有することを特徴とする請求項１に記載の手持式デバイス。
【請求項３】
前記マイクロプロセッサと電子的に結合して、前記複合ビデオ信号に含まれる補助データを判別する判別回路を備えることを特徴とする請求項１に記載の手持式デバイス。
【請求項４】
前記マイクロプロセッサと電子的に結合して、前記補助データの受信を確認したことを前記手持式デバイスの使用者に通知するための視覚ディスプレイを備えることを特徴とする請求項１に記載の手持式デバイス。
【請求項５】
送信元からの補助データで変調された信号を受信して、高機能な音声を使用者に提供する手持式デバイスであって、
前記手持式デバイスに携行されるマイクロプロセッサと、
前記マイクロプロセッサと電子的に結合して、前記送信元から前記変調された信号を取得する受信機と、
前記マイクロプロセッサ及び前記受信機と結合して、前記変調された信号を復調して補助データを取得する復調手段と、
前記マイクロプロセッサと結合して、前記変調された信号から補助データを再生する再生手段と、
前記マイクロプロセッサと結合して、ディジタル音声を再生する高機能音声回路とを備える
ことを特徴とする手持式デバイス。
【請求項６】
前記信号は被変調ビデオ信号であり、前記送信元はディスプレイ装置であり、前記受信機は光学受信機であることを特徴とする請求項５に記載の手持式デバイス。
【請求項７】
前記信号は被変調無線信号であり、前記送信元は無線放送局であり、前記受信機は無線周波受信機であることを特徴とする請求項５に記載の手持式デバイス。
【請求項８】
手持式デバイス内に予め設定された音声を、受信機で送信元から補助データを受信することによって解除する方法であって、
前記補助データを含む信号を送信元から前記手持式デバイスに送信し、
前記受信機を介して前記手持式デバイスで前記信号を受信し、
前記手持式デバイスで受信した信号を処理し、
前記信号を介して受信した前記補助データの受信に基づいて、前記手持式デバイスに予め保存されている音声を選択的に解除する
ことを特徴とする方法。
【請求項９】
前記送信元はディスプレイ装置であり、前記受信機はフォトセンサであることを特徴とする請求項８に記載の方法。
【請求項１０】
前記送信元はデコーダボックスであり、前記受信機は無線周波受信機であることを特徴とする請求項８に記載の方法。
【請求項１１】
映像番組の送信元から補助データを受信する手持式デバイスを使用して、映像番組の視聴者に、その映像番組に関連する選択の機会を提供するシステムであって、
前記映像番組中に、信号を前記送信元から前記手持式デバイスに別々の時間に送信する手段と、
前記信号を手持式デバイスで受信するための手段と、
前記手持式デバイスで受信した信号を処理する手段と、
前記手持式デバイスが補助データの受信を確認したことを前記視聴者に知らせるための手段とを備える
ことを特徴とするシステム。
【請求項１２】
前記信号は複合ビデオ信号であり、該信号を受信する前記手段はフォトセンサであることを特徴とする請求項１１に記載のシステム。
【請求項１３】
前記信号は補助データを含み、前記送信元はデコーダボックスであって、前記受信機は無線周波受信機であることを特徴とする請求項１１に記載のシステム。
【請求項１４】
手持式デバイスを有して、RBDS符号器を使用することによって無線信号源から提供される無線信号に含まれる補助データで表される情報を手持式デバイスの使用者に通知するシステムであって、
前記無線信号源から送信された無線信号は補助データを含み、
前記手持式デバイスは前記無線信号源から無線信号を受信する機能を有し、
前記手持式デバイスは前記RBDS符号器を使用して前記無線信号内の補助データを復号するデコーダを有して、前記無線信号内に補助データが存在するかどうかを判断し、
前記手持式デバイスは情報保存用のメモリを有し、前記手持式デバイスの補助データの受信に基づいて使用者に前記情報を提供する
ことを特徴とするシステム。
【請求項１５】
前記手持式デバイスはカードのような特徴を持つものであることを特徴とする請求項１４に記載のシステム。
【請求項１６】
前記手持式デバイスは補助データを受信するとそれを再生する手段を有することを特徴とする請求項１４に記載のシステム。
【請求項１７】
コンピュータシステムのモニタから手持式デバイスに、補助データを光検出器によって視覚的に送信することを含む方法であって、
前記デバイスの光検出器が前記モニタに向くように手持式デバイスを操作し、
前記補助データの存在を示す視覚画像を前記モニタに放映する前記コンピュータシステムで利用可能なアプリケーションプログラムの実行を選択的に開始し、
前記光検出器を介して、前記手持式デバイスで前記補助データを受信し、
前記受信された補助データの受信に応答して、前記手持式デバイスの使用者が選択できるようにする
ことを特徴とする方法。
【手続補正２】
【補正対象書類名】明細書
【補正対象項目名】００９３
【補正方法】変更
【補正の内容】
【００９３】
本システムは動作システム、アプリケーションプログラム、ビデオカード、モニタ、使用者がデータを受信する手持式デバイス１２を含む、コンピュータのソフトウェア、ハードウェアを利用する。本発明の下では、アプリケーションプログラムを実行してデータの送信を開始する必要がある。アプリケーションプログラムを開始する好ましい方法として、マイクロソフト（登録商標）のインターネットエクスプロラ（登録商標）や同様のウェブ閲覧ソフトと使用者との特定の対話においてアプリケーションプログラムを開始させることが挙げられる。使用者がマウスを移動し、クリックやダブルクリックをしてウェブブラウザと対話すると、ウェブブラウザは特定のイベントに関してアプリケーションプログラムを選択的に実行する。アプリケーションプログラムは動的リンクライブラリとして保存され、ウェブブラウザがDLLファイルを必要とすると判断したイベントについてDLLを呼び出し、開始する。プラグイン式DLLの設置は、ウェブブラウザがアプリケーションプログラムを呼び出せるように、本発明実行前になされる必要がある。使用者がウェブブラウザを使って初めて手持式デバイス１２との対話を試みると、適当なウェブサイトがアプリケーションプログラムの呼び出しが必要な操作を行う。次にウェブブラウザは画面にメッセージを表示してDLLのダウンロードとインストールを行うかを問う。DLLのインストール後、ウェブブラウザはすべき操作を行い、所望の結果を得る。本発明の分野の当業者は、本発明の別の構成を理解するはずである。例えばアプリケーションプログラムは独立プログラムとして構成されても良いし、別のアプリケーションプログラムと一体化しても良い。
【手続補正３】
【補正対象書類名】明細書
【補正対象項目名】０１０５
【補正方法】変更
【補正の内容】
【０１０５】
アプリケーションプログラムは水平周波数に基づき調整を行う。マイクロソフト（登録商標）のウィンドウズ（登録商標）のような動作システムは行毎の画素数とスクリーン毎の行数を利用できるようにする。統計上のテストプログラムは、スクリーンに絵が現れるまでの時間を記録することによって、垂直リフレシュ速度を測定する。アプリケーションプログラムはそこで、ウィンドウズ（登録商標）のレジストリにその構成を保存する。レジストリはデータに日付を刻印するのでアプリケーションはこの構成プログラムを毎日再動作させることができる。統計データは別の場所にいかなる方法で保存されてもよく、他の様々な時刻スタンプチェックシステムを用いても良いと当該技術において理解されるものとする。